(57)【要約】【課題】  無線ＬＡＮの電波を利用して設備の存在や設備が利用可能であるかの情報を利用者に案内する設備案内装置を提供する。【解決手段】  無線ＬＡＮの電波を利用した設備案内装置において、案内対象の設備１，２，１１，１２の状態によって前記無線ＬＡＮのビーコン電波の送信電力を変化させる。また、案内対象の設備１，２，１１，１２が利用できない場合は前記無線ＬＡＮのビーコン電波の送信を停止させる。【選択図】図１
2016032177.tif 000002
【特許請求の範囲】
【請求項１】
無線ＬＡＮの電波を利用した設備案内装置おいて、
案内対象の設備の状態によって前記無線ＬＡＮのビーコン電波の送信電力を変化させること
を特徴とする設備案内装置。
【請求項２】
請求項１に記載の設備案内装置において、
前記案内対象の設備が使用できない場合は前記無線ＬＡＮのビーコン電波の送信を停止すること
を特徴とする設備案内装置。
【請求項３】
請求項１に記載の設備案内装置において、
前記案内対象の設備が使用できるまでの時間が予測できる場合は前記無線ＬＡＮのビーコン電波の送信電力を所定の電力から前記設備が使用できるまでの時間まで上昇し続け、前記設備が使用できる時間には前記無線ＬＡＮのビーコン電波の送信電力を最大の電力とすること
を特徴とする設備案内装置。
【発明の詳細な説明】
【技術分野】
【０００１】
本発明は無線ＬＡＮの電波を利用した設備案内装置に関し、特に案内する設備の利用可否状況をも案内することが可能な設備案内装置に関する。
【背景技術】
【０００２】
従来、無線ＬＡＮ（Ｗｉ−Ｆｉ）等の電波を発信する装置においては、その装置が定期的に発射するビーコン信号にＳＳＩＤ（サービスセット識別子Ｓｅｒｖｉｃｅ  Ｓｅｔ  Ｉｄｅｎｔｉｆｉｅｒ）が含まれている。無線ＬＡＮを使用するユーザーは、無線ＬＡＮ機能を持つ端末装置が前記ビーコン信号を受信し、ビーコン電波の強度によってＳＳＩＤを並べ変えて表示された結果を確認する事で、無線ＬＡＮ装置の有無やその無線ＬＡＮ装置と接続が可能であるかを判別していた。
【０００３】
一方、無線ＬＡＮの電波の到達方法を検知する技術が特許文献１に開示されており、これらの技術を組み合わせて設備に無線ＬＡＮ装置を設け、設備の存在の報知とその設備の方向への案内を行なう事を可能としていた。
【先行技術文献】
【特許文献】
【０００４】
【特許文献１】特開２００５−１２３９８３号公報
【発明の概要】
【発明が解決しようとする課題】
【０００５】
しかしながら、上記の案内を行なう技術においては、設備の存在の報知とその設備への方向の案内が可能であっても、その設備が現在使用可能か（使用可能、一時的に使用不可、故障や保守などにより使用不能）または現在使用可能では無いが今後使用可能となるかという情報は提供されていない。また、例えば上記設備の状況をＳＳＩＤの内容を変更することにより提供したとしても、一般に無線ＬＡＮ機能を持つ端末装置においては、受信したＳＳＩＤを電波の強度が強い順に上位から表示する機能が一般的であり、ＳＳＩＤの内容で並び替えを行なえるものではないため、多数の設備からの設備の情報を効率的に検索することは困難であった。
【０００６】
本発明は上記の課題を解決するためになされたものであり、その目的は、無線ＬＡＮの電波を利用した設備案内装置において、簡易な方法でその設備の状況を伝達することを可能とする設備案内装置を提供することにある。
【課題を解決するための手段】
【０００７】
上記の課題を解決するために、本発明は、無線ＬＡＮの電波を利用した設備案内装置において、案内対象の設備の状態によって前記無線ＬＡＮのビーコン電波の送信電力を変化させることを特徴とする。
【０００８】
また、本発明は、前記案内対象の設備が使用できない場合は前記無線ＬＡＮの電波の送信を停止することを特徴とする。
【０００９】
また、本発明は、前記案内対象の設備が使用できるまでの時間が予測できる場合は前記無線ＬＡＮの電波の送信電力を所定の電力から前記設備が使用できるまでの時間まで上昇し続け、前記設備が使用できる時間には前記無線ＬＡＮの電波の送信電力を最大の電力とすることを特徴とする。
【００１０】
上記のように無線ＬＡＮ装置から送信する電波の強度を設備の状態に関連付けて設備の案内を行なうことにより、使用可能な設備は、無線ＬＡＮ機能を持つ端末装置のＳＳＩＤ一覧表示において現在位置から近い順により上位に表示され、存在するが現在利用できない設備はＳＳＩＤ一覧表示においてより下位に表示されることとなる。また、当面利用できない設備はＳＳＩＤ一覧には現れなくなる。
【発明の効果】
【００１１】
本発明の設備案内装置をトイレやエレベーター等の状況によって使用できない、または使用可能となるまでに時間が掛かる可能性がある設備に設置して案内することにより、より近くでかつ待ち時間が少なく利用可能な設備を無線ＬＡＮ機能を有する端末装置を所持したユーザーに案内することが可能となる。
【図面の簡単な説明】
【００１２】
【図１】本発明の設備案内装置における設備の状態に応じた電波の強弱の変化を示すグラフである。
【図２】本発明の実施例１の設備及び設備案内装置の構成を示す図である。
【図３】図２の状態における端末装置４のＳＳＩＤ表示画面を示す図である。
【図４】本発明の実施例１の設備及び設備案内装置の構成を示す別の図である。
【図５】図４の状態における端末装置４のＳＳＩＤ表示画面を示す図である。
【図６】本発明の実施例２の設備及び設備案内装置の構成を示す図である。
【図７】図６の状態における端末装置１４のＳＳＩＤ表示画面を示す図である。
【図８】本発明の実施例２の設備及び設備案内装置の構成を示す別の図である。
【図９】図８の状態における端末装置１４のＳＳＩＤ表示画面を示す図である。
【図１０】昇降機Ｂが使用できない状態となった場合の端末装置１４のＳＳＩＤ表示画面を示す図である。
【発明を実施するための形態】
【００１３】
［実施例１］
本発明の実施例１における設備案内装置の動作について、図１を使用して説明する。
【００１４】
図１は本発明の設備案内装置における設備の状態に応じた電波の強弱の変化を示すグラフである。通常案内を行なう対象の設備が利用可能である場合は、設備案内装置は最も強い送信電力で無線ＬＡＮのビーコン電波を送信している（時刻ＴＯ〜Ｔ１）。ここで、当該の設備に利用者が入り一時的に使用できない状態となった場合は、設備案内装置は所定の弱さの送信電力で無線ＬＡＮのビーコン電波を送信し、予め過去の利用状況で算出されている当該設備の平均利用時間（時刻Ｔ１〜Ｔ２）の間、徐々に送信電力を強めていく。当該設備が一時的に使用できない状態となった時間から平均利用時間が経過した後、または当該設備が再度利用可能になった時点で、設備案内装置は最も強い送信電力で無線ＬＡＮのビーコン電波を送信する（時速Ｔ２〜）。
【００１５】
一方、当該設備がメンテナンスや清掃で利用できない状況が継続する状況となったときは、設備案内装置はビーコン電波の発射を停止する（時刻Ｔ３〜Ｔ４）。メンテナンスや清掃が完了し、当該設備が再度利用可能になった時点で、設備案内装置は最も強い電力で無線ＬＡＮのビーコン電波を発射する（時速Ｔ２〜）。
【００１６】
図２は上記の設備案内装置をトイレ等の設備Ａと設備Ｂとに導入した際の構成と電波の状況を表す図である。図２において、設備Ａには設備案内装置５が設置されており、設備案内装置５からは無線ＬＡＮのビーコン電波５ａが定期的に発射されている。また、同様に設備Ｂには設備案内装置６が設置されており、設備案内装置６からは無線ＬＡＮのビーコン電波６ａが定期的に発射されている。
【００１７】
ここで、設備Ａよりは設備Ｂに近い場所に位置する利用者３が、無線ＬＡＮ機能を有する端末４を使用して付近の無線ＬＡＮ機器の状況を表示した場合、利用者３はより設備Ｂに近く、設備Ｂの案内装置６からのビーコン電波６ａが設備Ａの案内装置５からのビーコン電波５ａよりも強いため、図３の端末装置４の画面４ａに示すように設備ＢのＳＳＩＤ１を含む案内が上位に表示される。このことにより利用者３は、設備Ｂはすぐ利用可能と判断し、設備Ｂに入り待ち時間無く利用することが可能となる。
【００１８】
一方、図４に示すように、設備Ｂが他人に使用されている場合、設備案内装置６からの無線ＬＡＮのビーコン電波６ａは図１に示すように一時弱くなる。この状態においては、設備Ｂの案内装置６からのビーコン電波６ａが弱くなっているため、図５の端末装置４の画面４ｂに示すように、設備ＡのＳＳＩＤ２を含む案内が設備ＢのＳＳＩＤ１を含む案内より上位に表示される。このことにより利用者３は、設備Ａがすぐ利用可能と判断し、設備Ａを待ち時間無く利用することが可能となる。
【００１９】
また、設備Ｂが他人に使用されている状況においても、設備Ｂの平均利用時間が経過する頃には設備Ｂの案内装置６からのビーコン電波６ａが設備Ａの案内装置６からのビーコン電波６ａよりも再度強くなるため、利用者３は設備Ｂがもうすぐ利用可能と判断し、設備Ｂの前で待ち、より短い待ち時間で設備Ｂを利用することが可能となる。
【００２０】
このように、各設備の利用状況によって各設備案内装置からの無線ＬＡＮのビーコン電波の送信電力を変化させることにより、より効率的に各設備への案内を行なうことが可能となる。
［実施例２］
図６は上記の設備案内装置を昇降機Ａと昇降機Ｂとに導入した際の構成と電波の状況を表す図である。図６において、昇降機Ａには設備案内装置１５が設置されており、設備案内装置１５からは無線ＬＡＮのビーコン電波１５ａが定期的に発射されている。また、同様に昇降機Ｂには設備案内装置１６が設置されており、設備案内装置１６からは無線ＬＡＮのビーコン電波１６ａが定期的に発射されている。
【００２１】
ここで、昇降機Ａよりは昇降機Ｂに近い場所に位置する車椅子利用者３が、無線ＬＡＮ機能と技術文献１に示すような電波到達方向検知機能とを持つ端末装置１４を使用して付近の無線ＬＡＮ機器の状況を表示した場合、利用者３はより昇降機Ｂに近く、昇降機Ｂの案内装置１６からのビーコン電波１６ａが昇降機Ｂの案内装置１５からのビーコン電波１５ａよりも強いため、図７の端末装置１４の画面１４ａに示すように、昇降機ＢのＳＳＩＤ１を含む案内が上位に表示される。また、電波到達方向検知機能によりビーコン電波１６ａの到達方向を検知し、図７の端末装置１４の画面１４ａに示すように昇降機Ｂへの移動方向を表示することが可能となる。このことにより車椅子利用者１３は、昇降機Ｂはすぐ利用可能と判断し、昇降機Ｂの方向に向かい待ち時間無く利用することが可能となる。
【００２２】
一方、図８に示すように、昇降機Ｂが他人に使用されている場合や別の階床に停止している場合、設備案内装置１６からの無線ＬＡＮのビーコン電波１６ａは一時弱くなる。この状態においては、昇降機Ｂの案内装置１６からのビーコン電波１６ａが弱くなっているため、図９の端末装置１４の画面１４ｂに示すように、昇降機ＡのＳＳＩＤ２を含む案内が設備ＢのＳＳＩＤ１を含む案内より上位に表示される。
【００２３】
このことにより車椅子利用者１３は、昇降機Ａの方がすぐ利用可能と判断し、昇降機Ａの方に向かい待ち時間無く利用することが可能となる。
【００２４】
また、昇降機Ｂが点検中や保守作業中で当面使用できない状況においては、昇降機Ｂの案内装置１６からのビーコン電波１６ａは停止するため、図１０の画面１４ｃに示すように昇降機ＡのＳＳＩＤ２を含む案内のみが表示される。
【００２５】
このことにより車椅子利用者１３は、昇降機Ａのみが利用可能と判断し、昇降機Ａの方向に向かい待ち時間無く利用することが可能となる。
【００２６】
このように、各設備の利用状況によって各設備案内装置からの無線ＬＡＮのビーコン電波の送信電力を変化させることにより、より効率的に各設備への案内を行なうことが可能となる。
【符号の説明】
【００２７】
１  設備Ａ
２  設備Ｂ
３  利用者
４  端末装置
４ａ、４ｂ  端末装置４の表示画面
５  設備Ａに設けられた設備案内装置
５ａ  設備Ａに設けられた設備案内装置５からのビーコン電波
６  設備Ｂに設けられた設備案内装置
６ａ  設備Ｂに設けられた設備案内装置６からのビーコン電波
１１  昇降機Ａ
１２  昇降機Ｂ
１３  車椅子利用者
１４  伝播到達方向検知機能を持つ端末装置
１４ａ、１４ｂ、１４ｃ  端末装置４の表示画面
１５  昇降機Ａに設けられた設備案内装置
１５ａ  昇降機Ａに設けられた設備案内装置１５からのビーコン電波
１６  昇降機Ｂに設けられた設備案内装置
１６ａ  昇降機Ｂに設けられた設備案内装置１６からのビーコン電波
【図１】
2016032177.tif 000003
【図２】
2016032177.tif 000004
【図３】
2016032177.tif 000005
【図４】
2016032177.tif 000006
【図５】
2016032177.tif 000007
【図６】
2016032177.tif 000008
【図７】
2016032177.tif 000009
【図８】
2016032177.tif 000010
【図９】
2016032177.tif 000011
【図１０】
2016032177.tif 000012